(57)【要約】【課題】バックライト照明が提供され、描いた文字や図形を、明るく目立つような視覚効果を持たせる光学トレーシングボードを提供する。【解決手段】本考案に係る光学トレーシングボードは、本体及びバックライトモジュールを含む。本体は凹み部及びインレット部を有し、且つ、インレット部が凹み部の一側に対応する。バックライトモジュールは凹み部内に設けられ、導光板、反射シート、及び発光素子を含み、導光板と反射シートとの間に差込空間が形成され、この差込空間がインレット部に対応している。これによって、本考案は、インレット部を介して導光板と反射シートとの間の差込空間内にピクチャを挿入し、かつ、導光板にピクチャに表示された模様を直接的にトレーシングして描いて、さらに、発光素子によりこの導光板に光源を提供し、本考案に係る光学トレーシングボードが、特殊な視覚効果を示すことができる。【選択図】図３
0003138941.tif 000002
【実用新案登録請求の範囲】
【請求項１】
本体と、バックライトモジュールと、制御回路とで構成される光学トレーシングボードであって、
本体には、凹み部が設けられ、
バックライトモジュールは、本体の凹み部内に設けられ、差込空間を備え、
制御回路は、本体内に設けられ、電源スイッチを有し、バックライトモジュールの働きを制御すること、
を特徴とする光学トレーシングボード。
【請求項２】
前記凹み部は、底部及び外枠部で構成され、
外枠部は、底部の周囲を囲んで設けられ、かつ、外枠部には位置決め部が設けられ、
前記本体は、さらに差込部を有し、
差込部は前記差込空間につながっていること、
を特徴とする請求項１に記載の光学トレーシングボード。
【請求項３】
前記バックライトモジュールは、導光板と、反射シートと、少なくとも一つの発光素子とで構成され、
導光板は、前記位置決め部に設けられ、
反射シートは、前記底部に設けられ、
発光素子は、導光板の側縁に設けられ、
反射シートと導光板との間には差込空間が形成されること、
を特徴とする請求項２に記載の光学トレーシングボード。
【請求項４】
前記凹み部は、固定部材と、描画シートと、圧着部材とを備え、
固定部材は、導光板に当接し、凸部を有し、
凸部は、前記外枠部の係合部に互いに係合し、かつ、前記導光板は、固定部材と前記位置決め部との間に位置され、
描画シートは、前記導光板の上方に設けられ、
圧着部材は、描画シートの上方に押さえつけて設けられていること、
を特徴とする請求項３に記載の光学トレーシングボード。
【請求項５】
前記差込部はスロット形状であり、かつ、スロット形状は穴になっており、穴は前記差込空間に通じることを特徴とする請求項２記載の光学トレーシングボード。
【請求項６】
前記差込部内には、前記凹み部に接続されたガイド部が設けられ、
ガイド部は、ガイド平面と引き出し部を備え、
ガイド平面は、前記底部とつながり、
引き出し部は、ガイド平面の一側面に凹設されること、
を特徴とする請求項５に記載の光学トレーシングボード。
【請求項７】
前記凹み部は、底部及び外枠部を備え、
外枠部は、底部の周囲を囲み、かつ外枠部には位置決め部が設けられており、
前記バックライトモジュールは、可動式導光モジュールと、反射シートと、少なくとも一つの発光素子と、で構成され、
可動式導光モジュールは、外枠部に枢着され、前記位置決め部によって位置決めされ、
反射シートは、底部に設けられ、
発光素子は、外枠部の側辺に設けられ、可動式導光モジュールに対応し、
反射シートと前記導光板との間には差込空間が形成されること、
を特徴とする、請求項１に記載の光学トレーシングボード。
【請求項８】
前記可動式導光モジュールは、
導光板と、
前記導光板の側辺に固定され、かつ、前記外枠部上の第２の枢着端に枢着される第１の枢着端が設けられた固定部材とからなること、
を特徴とする請求項７記載の光学トレーシングボード。
【請求項９】
前記凹み部は、
前記導光板の上方に設けられた描画シートと、
描画シートを押さえつける圧着部材と、をさらに備えること、
を特徴とする請求項８に記載の光学トレーシングボード。
【請求項１０】
前記光学トレーシングボードは、収納部と、グリップと、学習シートとを備え、
収納部は、本体の一側面に挿着して設けられ、
グリップは、本体の一側面に設けられ、
学習シートは、差込空間内に挿入される、図形又は文字パターンが記載されたプラスチックシートであること、
を特徴とする請求項１に記載の光学トレーシングボード。
【考案の詳細な説明】
【技術分野】
【０００１】
本考案は、トレーシングボードに関し、特に、絵を描くためのトレーシングボードに関するものである。
【背景技術】
【０００２】
従来のトレーシングノートは、一般的に、紙の上に図形や文字が印刷されており、幼児が直接、紙の上に印刷された図形や文字の輪郭をなぞって勉強できるものである。しかし、このようなトレーシングノートの最大の問題は、繰り返して使用できないことである。トレーシングノートを全て描き終えると、このトレーシングノートを捨てるしかなく、描画する際にさらに新しいトレーシングノートを購入する必要があるので、捨てられるトレーシングノートは紙の無駄となる。
【０００３】
現在、他のトレーシング製品として、磁気トレーシングボードがある。磁気トレーシングボードは、一般的に、磁性のボードであり、このボードの板面は、使用者が磁気を帯びた描画ツールで板面に直接的にトレーシングすることができ、描いている途中で、描画ツールと板面とが接触した位置に磁性粉末が吸着されるので、手描き動作を完了すると、板面には吸着された磁性粉末を介して手描き過程のトレーシング軌跡が残る。また、板面にも磁気を除去する手段が備えられており、磁気を除去することによって、板面上に吸着して残った磁性粉末を除去することができる。このような磁気トレーシングボードは繰り返してトレーシングする機能を持つが、その手描き過程では、対象に直接に描くことができないため、幼児にとっては、磁気トレーシングボードで図形や文字を勉強しようとしても難しい。
【０００４】
前記二種類のトレーシング方式については、トレーシングノートを言えば、色の異なるペンで紙の上に直接描くことができても、色ペンの色彩の効果を目立たせるためのバックライト光源による対照効果がなく、一方、磁気トレーシングボードはトレーシングノートと比べて、繰り返してトレーシングできるが、同じくバックライト光源の照明効果がない。
【０００５】
そのため現在、前記トレーシングノートまたは磁気トレーシングボードの欠点を解決するために、図１に示すようなトレーシングボードが提案されている。図１中のトレーシングボードの本体９は、表板９１を有し、この表板９１がトレーシングボード本体９の表面に設けられ、表板９１の上にさらに透明シート９５が設けられ、この透明シート９５がシートの凸部９５１を介してトレーシングボード本体９内の差込溝９５２に装着され、透明シート９５をトレーシングボード本体９に対して開けることができる。図１では、透明シート９５が開けられるとともに、透明シート９５と表板９１との間に絵９３をさらに挿入できるので、透明シート９５を絵９３の上に閉じると、使用者は透明シート９５の表面に、絵９３に描かれた図形を直接的に描くことができる。透明シート９５の上に描いた後は、拭くことで除去できるため、透明シート９５は繰り返してトレーシングすることができる。
【０００６】
図１のトレーシングボードは、前記のトレーシングノート及び磁気トレーシングボードに比べて、繰り返して使用可能であり、また、対象に対して描くことができる。しかし、図１のトレーシングボードでは、この透明シート９５の上の描いた絵は、同じくバックライト光源による対比の効果を得られないので、特殊的な光線視覚効果を持っていない。よって、図１のトレーシングボードも、その描いた絵は、使用者が描いて勉強する過程において学習する興味を促進するような独特な視覚効果は欠けている。
【特許文献１】台湾実用新案Ｍ２７８５６１号
【考案の開示】
【考案が解決しようとする課題】
【０００７】
本考案の目的は、バックライト照明により、描いた文字や図形に、明るく目立つような視覚効果を持たせる光学トレーシングボードを提供することにある。
【課題を解決するための手段】
【０００８】
前記の問題を解決するための考案は、本体及びバックライトモジュールを含む光学トレーシングボードを提供する。本体は凹み部及びインレット部（差込部）を有し、かつ、インレット部が凹み部の一側につながっており、バックライトモジュールは絵を挿入するための差込空間を有し、かつ、バックライトモジュールは凹み部内に設けられ、かつ差込空間がインレット部につながっている。
【０００９】
また、本考案が提供する考案は、凹み部は底部及び外枠部を含む。この外枠部は底部の周囲を囲んで設けられ、かつ、外枠部には位置決め部が設けられる。
【００１０】
また、本考案が提供する考案は、光源はバックライトモジュールにより照明される。バックライトモジュールは、反射シート、導光板及び少なくとも一つの発光素子からなる。反射シートは、底部内に設けられ、導光板は、位置決め部に設けられ、かつ、反射シートと導光板との間に差込空間が形成され、発光素子は導光板の側縁に設けられる。
【００１１】
また、本考案が提供する考案は、さらに、インレット部の内部にガイド部が設けられ、かつ、ガイド部が凹み部に接続され、ガイド部がガイド平面を有し、このガイド平面が凹み部内の反射シートの表面に近隣する。
【考案の効果】
【００１２】
本考案に係る光学トレーシングボードによれば、光源である発光素子により導光板を直接的に照明し、導光板が、反射シートの底色に合わせて対照的にバックライト照明を有するようになり、導光板上に描いたものを光により目立たせることができる。絵は、インレット部を介して導光板と反射シートとの間の差込空間内に直接的に挿入することができ、早くかつ便利である。
【考案を実施するための最良の形態】
【００１３】
（第１実施例）
図２は、本考案に係る第１実施例を示す斜視図である。図２の光学トレーシングボードは、本体１からなり、この本体１は、バックライトモジュールを有し、導光板３の上に描いた模様または文字をバックライトで目立たせる効果を持つ。また、本体１の一側辺にはインレット部１１が設けられ、このインレット部１１は、本体１内に絵（図略）を便利かつ早く挿入し、または取り出すための構造になっており、使用者が本体１を介して描くことができる。
【００１４】
図３は、本考案に係る第１実施例の分解斜視図である。本実施例の光学トレーシングボードは、本体１、反射シート２、導光板３及び発光素子１７などの部材を含み、本実施例では、反射シート２、導光板３及び発光素子１７はバックライトモジュールとして用いる。本体１は略矩形板状であり、かつ、その表面の適当な位置に凹み部１３が設けられ、本体１は、その凹み部１３の一側辺にインレット部１１が設けられ、このインレット部１１は凹み部１３に直接つながっている。また、本体１の他の側辺にはグリップ１５が設けられ、使用者がグリップ１５を介して本実施例の光学トレーシングボードを携帯できる。
【００１５】
本体１に設置された凹み部１３は、底部１３１及び外枠部１３３からなり、外枠部１３３は底部１３１の周囲を囲んで設けられる。外枠部１３３には光源投射部１３３５が設けられ、この光源投射部１３３５が複数の貫通孔からなる。
【００１６】
さらに、図３を参照すると、本体１の一側におけるインレット部１１は、スロット形状となっている。また、本実施例では、インレット部１１内にさらにガイド部６が設けられ、ガイド部６は凹み部１３の底部１３１に接続される。このガイド部６は、ガイド平面６１及び引き出し部６３を有し、このガイド平面６１は底部１３１につながっており、ガイド平面６１の他の側は本体１の外へ突出する（図２参照）。引き出し部６３はガイド平面６１の側辺に設けられ、引き出し部６３はガイド平面６１に内凹の曲弧面を形成する。
【００１７】
発光素子１７は、本体１内に設置し凹み部１３の一側辺に位置され、発光素子１７から発する光線は、凹み部１３内の光源投射部１３３５より投射され、導光板３に光線を直接的に投射する。実施例では、発光素子１７は、ランプや、発光ダイオード、または冷陰極ランプであればよいが、これらに限らず、発光素子１７は、本体１内に設けられた他の均一な発光素子であってもよい。発光素子１７の配置数量は、複数以上であってもよく、その場合、光線輝度を向上できる。
【００１８】
反射シート２は、凹み部１３内に設置され、かつ底部１３１に位置される。本実施例では、反射シート２は、バックライトまたは冷陰極蛍光管プレートであればよい。反射シート２がバックライトであれば、表面が深い色のプラスチック材を使用し、バックライト光源の底色としてバックライト照明の対照効果を向上させる。冷陰極蛍光管プレートを反射シート２として選択すれば、冷陰極蛍光管プレートの光の色がバックライト光源の底色とするほか、バックライト光源の照明効果を増強できる。
【００１９】
導光板３は、凹み部１３内に設けられ、かつ反射シート２の上方及び光源投射部１３３５の側辺に位置される。すなわち、光源投射部１３３５が発光素子１７と導光板３との間に位置され、導光板３が光源投射部１３３５から発光素子１７の光を受けて、さらにこの光を導光板３に均一かつ分散的に照明させる。また、導光板３と反射シート２との間には、絵を挿入するための一定隙間の差込空間が形成されており、この差込空間は、インレット部１１に対応して形成されたスロット形状である。
【００２０】
固定部材４は、凹み部１３内に設けられ、且つ導光板３の上方に位置し、導光板３を凹み部１３内に固定させるためのものである。圧着部材５は、導光板３の上に位置され、導光板３の上に別に置かれた透明感のある描画用紙を押さえて固定する。例えば、本実施例の圧着部材５は、導光板３の上の描画シートを固定させる。これについての詳細な実施方式は、次に説明する。
【００２１】
本体１の裏面には、さらに制御回路１９を有し、制御回路１９は、本体１の電源の開閉及びバックライト光源の照明を制御する機能を備える。例えば、発光素子１７の動作を制御し、或いは反射シート２が冷陰極蛍光管プレートである時に、制御回路１９も同時に冷陰極蛍光管プレートの動作を制御する。
【００２２】
本実施例の制御回路１９は、電源の開閉を制御するための電源スイッチ１９１備える。制御回路１９は、電源スイッチ１９１の制御により電源の給電が得られる。この給電方式は、バッテリにより直流電力を制御回路１９に供給し、或いは、電源アダプタを介して市電（AC電力）を直流電力に変換して制御回路１９に供給する。そのため、電源スイッチ１９１がオンされると、制御回路１９には電源が入力され発光素子１７に電力を供給し、電源スイッチ１９１がオフされると、制御回路１９には電源が入力されない。本実施例の電源スイッチ１９１は、本体１の正面に凸設しかつ制御回路１９に電気的に接続される。また、制御回路１９は、さらに、発光素子１７が点滅の特殊的な効果を有するように設けてもよい。この制御回路１９の詳細な設計については、制御回路を熟達した技術者らが容易に完成できる技術手段であり、ここで、制御回路１９の構成及び動作原理について、詳しく説明しない。
【００２３】
本体１は一側辺に収納部７をさらに備える。この収納部７は収納空間を有し、描画ツール（例えば、蛍光ペン）及び拭き道具（例えば、布）などを収納する。この収納部７の設計は、引き出しの方式で本体１に設置される。
【００２４】
図４は、本考案に係る第１実施例の部分断面図であり、図５は、図４のＡに示す部分の部分拡大図である。図５では、本願の主要部材間の細かい構造を示している。外枠部１３３は、さらに、係合部１３３１及び位置決め部１３３３を設け、この係合部１３３１は、固定部材４の凸部４１に係合するとともに、固定部材４は導光板３に当接する。すなわち、導光板３は、位置決め部１３３３と固定部材４との間に固定される。また、底部１３１部分にさらに反射シート２を内部に設置するための受け面１３１１が凹設され、かつ、この底部１３１のインレット部１１に近隣する一側に傾斜面１３１３が設けられている。この傾斜面１３１３は、ガイド部６のガイド平面６１に直接当接し、反射シート２がこの傾斜面１３１３を経てガイド平面６１につながる。
【００２５】
さらに図５を参照すると、図中から分かるように、導光板３と反射シート２との間に絵（図略）を差し込むため、導光板３と反射シート２との間に固定の隙間Ｈを維持し差込空間が形成される。インレット部１１は、スロット形状で、かつこのスロット形状は、底部１３１に近隣するところに穴を形成しており、この穴が底部１３１とつながる。そのため、ガイド部６がインレット部１１に形成されたスロット内に設けられたときに、インレット部１１から挿入した一枚の絵は、ガイド平面６１及び傾斜面１３１３を経て、導光板３と反射シート２との間の差込空間に差し込まれる。また、使用者は、インレット部１１を介してピクチャを挿入する際、引き出し部６３により挿入し、または引き出すことができる。しかも、この引き出し部６３は内凹の曲弧面であるので、使用者は絵を本体１に挿入しやすく、また引き出しやすい。
【００２６】
図６は、本考案のピクチャの挿入／引出を示す図である。図６を参照すると、絵８０はインレット部１１から挿入でき、かつガイド部６が形成する挿入案内により、絵８０を導光板３と反射シート２との間の差込空間に挿入できる。同様に、インレット部１１から絵８０を引き出す場合には、使用者は、インレット部１１に位置するガイド部６に設けられた引き出し部６３の内凹弧面部の空間に指を入れれば、直接的に取ることが可能であり、絵８０をインレット部１１の外へ便利でかつ早く引き出すことができる。
【００２７】
本実施例の実際の操作過程を説明するため、次に、図７及び図８を参照し説明する。図７は、学習シート８１に合わせて描いて勉強することを示す図であり、図８は、学習シート８１を描画シート８３とともに合わせてトレーシングして描くことを示す図である。
【００２８】
図７では、使用者は、インレット部１１を介して学習シート８１を差し込む。この学習シート８１は、透光材（例えば、プラスチックシート）であり、学習シート８１の表面にさらに模様８１１が印刷され、使用者が導光板３の上に手描きでこの模様を直接的に習うことができる。この模様８１１は、文字、模様のあらゆる組合でもよい。学習シート８１が導光板３と反射シート２との間の差込空間に挿入されると（図５参照）、使用者は、蛍光ペン（図示せず）で導光板３の上に、学習シート８１に示した模様８１１を直接なぞって学習することができる。また、電源スイッチ１９１のオンにより発光素子１７の照明を起動し、導光板３をバックライトで照明することで、反射シート２をバックライト光源の底色とする対照の効果で、使用者が導光板３の上に描いたものには、バックライト照明の特殊な視覚効果を持たせる。
【００２９】
図８では、図７の場合について、学習シート８１を本体１内に挿入するほか、さらに導光板３の上に描画シート８３を別に置く。この描画シート８３は同じく透明材質（例えば、透視可能な描画用紙であってもよい）であり、圧着部材５を描画シート８３の上に配置し、描画シート８３を導光板３の上にずれないように固定させる（図９参照）。これにより、使用者は、蛍光ペン（図示せず）で導光板３の上に学習シート８１に示した模様８１１を直接的に描いて勉強できる。また、電源スイッチ１９１のオンにより発光素子１７の照明を起動することで、バックライトの効果によりなぞりやすくなる。そのため、図８の方式により、使用者が学習シート８１の上の模様８１１を描画シート８３に手軽にかつ簡単に転写できる。
【００３０】
（第２実施例）
図１０は、本考案に係る第２実施例を示す斜視図である。第１実施例では、学習シート８１の配置は、インレット部１１を介して挿入するが、本実施例は、図１０に示すように、光学トレーシングボードが、開合方式であり、開いて学習シート８１を置く。この点が第２実施例と第１実施例の主な違いである。第２実施例は、可動式の導光モジュール１２を開合する。この可動式導光モジュール１２は、固定部材４’及び導光板３からなる。固定部材４’は導光板３の側辺に固定され、かつ、固定部材４’は第１の枢着端５１を有する。
【００３１】
続いて、図１０及び図１１を併せて参照して説明する。第２実施例のバックライトモジュールは、可動式導光モジュール１２、反射シート２及び発光素子１７を指すもので、発光素子１７の配置は、第１実施例と同じである。第２実施例では、本体１’上に凹み部１３’を有し、この凹み部１３’は底部１３１及び外枠部１３３’からなり、外枠部１３３’は、底部１３１の周囲を囲んで設けられ、さらに、外枠部１３３’には光源投射部１３３５及び位置決め部１３３３が設けられる。この光源投射部１３３５は複数の貫通孔からなり、本体１’内に設けられた発光素子１７が光を発射し照明できるようになる。底部１３１に凹設した受け面１３１１は反射シート２を設置するためのもので、かつ導光板３は外枠部１３３’の位置決め部１３３３の上方に設けられ、このようにして、導光板３と反射シート２との間に差込空間が形成され、学習シート８１がその内部に設置される。
【００３２】
また、本体１’にはさらに第２の枢着端５２が設けられ、第１の枢着端５１と互いに接続可能で、可動式導光モジュール１２が本体１’に対して使用者により開けることができる。前記第２の枢着端５２は、本体１’の凹み部１３’の外枠部１３３’に設けられるのが好ましい。このようにして、可動式導光モジュール１２が本体１’に平に置かれると、可動式動向モジュール１２の導光板３が発光素子１７によって、発光素子１７の光源照明を受ける。外枠部１３３’の側辺には凹状の開合部１４が設けられており、使用者が開合部１４を介してこの可動式導光モジュール１２に対して開合動作を行い易くなる。
【００３３】
第２実施例に掲示した第１の枢着端５１は凸状の円柱で、第２の枢着端５２は中空の円形穴であってもよく、凸状の円柱を円形穴内に嵌め合わせることで、可動式導光モジュール１２は本体１’に対して開閉可能となる。第１の枢着端５１の凸状の円柱と、第２の枢着端５２の円形穴とを逆にしても、同じ効果が得られる。
【００３４】
本考案は、主に、本体１内に、反射シート２と、導光板３と、発光素子１７とからなるバックライトモジュールを設け、さらに、発光素子１７を、側面から光を照射する形式のバックライト照明として導光板３の側辺に設ける。しかしながら、バックライトモジュールが直下式のバックライト照明であってもよい。例えば、元の反射シート２に代えて、導光板３の下方に光源を設けて直接的に照明させても、本願の効果と同様の効果が得られる。
【００３５】
以上のように、本考案が提供した光学トレーシングボードは、以下の利点がある。
【００３６】
１．バックライト照明機能を備えており、導光板３に描いたものがより目立つような独特な視覚効果を持たせる。
【００３７】
２．図７に示すように勉強機能が提供される。この勉強機能は、使用者が導光板３に学習シート８１の模様を描くように映し出すことができ、使用者が描く過程においての勉強の楽しさ及び意欲を向上できる。
【００３８】
３．図７に示すようにトレーシングの機能が提供される。このトレーシングの機能が、使用者が導光板３の上の描画シート８３に学習シート８１の模様をトレーシングして描くように映し出すことができる。このような、描画シート８３をトレーシングして描いた模様は、学習シート８１の模様と同じである。
【００３９】
４．学習シート８１の挿入及び取出は、インレット部１１を介して便利且つ早く行える。
【００４０】
以上は、単に本考案の好ましい具体的な実施例に過ぎず、本考案の実用新案登録請求の範囲を局限するものではない。いずれの当該分野における通常の知識を有する者は、本考案の分野の中で、適当に変更や修飾などを実施できるが、それらの実施が本考案の主張範囲内に含まれることは言うまでもない。
【図面の簡単な説明】
【００４１】
【図１】従来のトレーシングボードの分解斜視図である。
【図２】本考案に係る第１実施例を示す斜視図である。
【図３】同上の分解斜視図である。
【図４】同上の断面部を示した図である。
【図５】同上の図４中のＡ部の部分拡大図である。
【図６】同上のピクチャの挿入／引出を示す図である。
【図７】同上の学習シートを差込口から差し込む状態を示す図である。
【図８】同上の学習シートを描画シートとともに合わせてトレーシングして描くことを示す図である。
【図９】同上の描画シートを合わせた断面図である。
【図１０】本考案に係る第２実施例を示す斜視図である。
【図１１】同上の図１０中の１１−１１線の部分断面図である。
【符号の説明】
【００４２】
１、１’          本体
１１              インレット部
１２              可動式導光モジュール
１３、１３’      凹み部
１３１            底部
１３１１          受け面
１３１３          傾斜面
１３３、１３３’  外枠部
１３３１          係合部
１３３３          位置決め部
１３３５          光源投射部
１５              グリップ
１７              発光素子
１９              制御回路
１９１            電源スイッチ
２                反射シート
３                導光板
４、４’          固定部材
４１              凸部
５                圧着部材
５１              第１の枢着端
５２              第２の枢着端
６                ガイド部
６１              ガイド平面
６３              引き出し部
７                収納部
８０              ピクチャ
８１              学習シート
８１１            模様
８３              描画シート
９                トレーシングボード本体
９１              表板
９３              絵
９５              透明シート
９５１            シートの凸部
９５２            差込溝
【図１】
0003138941.tif 000003
【図２】
0003138941.tif 000004
【図３】
0003138941.tif 000005
【図４】
0003138941.tif 000006
【図５】
0003138941.tif 000007
【図６】
0003138941.tif 000008
【図７】
0003138941.tif 000009
【図８】
0003138941.tif 000010
【図９】
0003138941.tif 000011
【図１０】
0003138941.tif 000012
【図１１】
0003138941.tif 000013